(57)【特許請求の範囲】
【請求項１】
被検者の頭部を挟んで一端にコーンビームＸ線を照射するためのＸ線発生器と他の一端に被検者の頭部を透過したＸ線を検知するための受像装置が対向配置された旋回アームが旋回して被検者の対象部位のＸ線ＣＴ撮影を行う頭頸部用コーンビームＸ線ＣＴ撮影装置において、
中心を示すマーカーを埋め込んだ左右イヤーロッドを有する位置決め装置に、被検者を位置決めしてＸ線ＣＴ撮影により取得した顔全体のＣＴ画像から前記マーカーを認識して左右のイヤーロッド位置を結ぶ線を基準としたＭＰＲ画像を取得し、このＭＰＲ画像を拡大率１．１倍に拡大し、左右のイヤーロッド位置を基準にして拡大したＭＰＲ画像からＲａｙＳｕｍ画像を作成して被検者の正面又は側面のセファロ画像を作成することを特徴とする頭頸部用コーンビームＸ線ＣＴ撮影装置。
【請求項２】
前記取得するＭＰＲ画像は、左右のイヤーロッド位置を結ぶ線に垂直な画像である請求項１に記載の頭頸部用コーンビームＸ線ＣＴ撮影装置。
【請求項３】
被検者の頭部を挟んで一端にコーンビームＸ線を照射するためのＸ線発生器と他の一端に被検者の頭部を透過したＸ線を検知するための受像装置が対向配置された旋回アームが旋回して被検者の対象部位のＸ線ＣＴ撮影を行う頭頸部用コーンビームＸ線ＣＴ撮影装置を用いて撮影した顔全体のＣＴ画像からセファロ画像を作成するセファロ画像作成方法であって、
中心を示すマーカーを埋め込んだ左右イヤーロッドを有する位置決め装置に、被検者を位置決めしてＸ線ＣＴ撮影により取得した顔全体のＣＴ画像から前記マーカーを認識して左右のイヤーロッド位置を結ぶ線を基準としたＭＰＲ画像を取得し、このＭＰＲ画像を拡大率１．１倍に拡大し、左右のイヤーロッド位置を基準にして拡大したＭＰＲ画像からＲａｙＳｕｍ画像を作成して被検者の正面又は側面のセファロ画像を作成することを特徴とする頭頸部用コーンビームＸ線ＣＴ撮影装置を用いたセファロ画像作成方法。
【請求項４】
前記取得するＭＰＲ画像は、左右のイヤーロッド位置を結ぶ線に垂直な画像である請求項３に記載の頭頸部用コーンビームＸ線ＣＴ撮影装置を用いたセファロ画像作成方法。
【発明の詳細な説明】
【技術分野】
【０００１】
本発明は、頭頸部用コーンビームＸ線ＣＴ撮影装置に関する。
【０００２】
更に詳しくは、頭頸部用コーンビームＸ線ＣＴ撮影装置によるセファロ画像作成に関する。
【背景技術】
【０００３】
通常、歯科矯正領域で診断に用いられる正面・側面セファロ撮影法は、焦点−被写体間寸法を１．５ｍまたは、２ｍとし焦点−受像部間寸法を１．６５ｍまたは、２．２ｍとして拡大率が１．１倍になる撮影条件で撮影することが一般的に知られている。従って、この種の撮影には、規格撮影が可能なセファロ付きパノラマＸ線撮影装置あるいはセファロ撮影専用機で撮影されるのが一般的である。一方、現在ある頭頸部用コーンビームＸ線ＣＴ撮影装置では、拡大率が大きくなる。またＸ線ＣＴ撮影により取得したＣＴ画像からは、通常セファロ画像を再構成処理することができないのが現状である。
【発明の開示】
【発明が解決しようとする課題】
【０００４】
頭頸部用コーンビームＸ線ＣＴ撮影装置において、Ｘ線ＣＴ撮影により取得した顔全体のＣＴ画像からセファロ画像を画像再構成処理することは出来ず、セファロ画像が必要な時には、セファロ撮影専用機等で撮影している。これにより被検者の被曝が増えることになる。
【０００５】
本発明は、上記した問題点に鑑みなされたもので、頭頸部用コーンビームＸ線ＣＴ撮影装置において、Ｘ線ＣＴ撮影により取得した顔全体のＣＴ画像から頭部Ｘ線規格撮影の撮影条件である前記拡大率１．１倍のセファロ画像を画像再構成処理することのできる装置の提供を目的とする。
【課題を解決するための手段】
【０００６】
請求項１に係る発明は、被検者の頭部を挟んで一端にコーンビームＸ線を照射するためのＸ線発生器と他の一端に被検者の頭部を透過したＸ線を検知するための受像装置が対向配置された旋回アームが旋回して被検者の対象部位のＸ線ＣＴ撮影を行う頭頸部用コーンビームＸ線ＣＴ撮影装置において、中心を示すマーカーを埋め込んだ左右イヤーロッドを有する位置決め装置に、被検者を位置決めしてＸ線ＣＴ撮影により取得した顔全体のＣＴ画像から前記マーカーを認識して左右のイヤーロッド位置を結ぶ線を基準としたＭＰＲ画像を取得し、このＭＰＲ画像を拡大率１．１倍に拡大し、左右のイヤーロッド位置を基準にして拡大したＭＰＲ画像からＲａｙＳｕｍ画像を作成して被検者の正面又は側面のセファロ画像を作成することを特徴とする。
【０００７】
請求項３に記載の発明は、被検者の頭部を挟んで一端にコーンビームＸ線を照射するためのＸ線発生器と他の一端に被検者の頭部を透過したＸ線を検知するための受像装置が対向配置された旋回アームが旋回して被検者の対象部位のＸ線ＣＴ撮影を行う頭頸部用コーンビームＸ線ＣＴ撮影装置を用いて撮影した顔全体のＣＴ画像からセファロ画像を作成するセファロ画像作成方法であって、中心を示すマーカーを埋め込んだ左右イヤーロッドを有する位置決め装置に、被検者を位置決めしてＸ線ＣＴ撮影により取得した顔全体のＣＴ画像から前記マーカーを認識して左右のイヤーロッド位置を結ぶ線に垂直なＭＰＲ画像を取得し、このＭＰＲ画像を拡大率１．１倍に拡大し、左右のイヤーロッド位置を基準にして拡大したＭＰＲ画像からＲａｙＳｕｍ画像を作成して被検者の正面又は側面のセファロ画像を作成することを特徴とする。
【発明の効果】
【０００８】
上記した頭頸部用コーンビームＸ線ＣＴ撮影装置において、Ｘ線ＣＴ撮影により取得した顔全体のＣＴ画像から前記拡大率１．１倍のセファロ画像（頭部Ｘ線規格画像）が画像再構成処理できることにより、新たにセファロ撮影専用機等での撮影が不必要になり被検者への被曝を低減することができる。また術者への負担の軽減にも繋がる。
【発明を実施するための最良の形態】
【０００９】
以下に、図面に従って本発明の実施態様について説明する。
【実施例】
【００１０】
図１は、本発明の頭頸部用コーンビームＸ線ＣＴ撮影装置の一実施例の全体図である。図中、１はＸ線発生器、２は受像装置、３は位置決め装置を示している。Ｘ線発生器１は旋回アームの一端に配置され、受像装置２は旋回アームの他端に被検者の頭部を挟んで対向配置されている。位置決め装置３の左右イヤーロッドには、セファロ撮影専用機等で使用しているイヤーロッドと同じように、その中心を示すマーカーが埋め込まれている。この位置決め装置３に被検者を位置決めして旋回アームが旋回して顔全体のＣＴ撮影が行われる。
【００１１】
図２は、本発明の頭頸部用コーンビームＸ線撮影装置でのＸ線ＣＴ撮影時の拡大率の説明図である。図に於いて、Ａは焦点−被写体正中矢状面間距離、Ｂは正中矢状面−受像面間距離、Ｃは焦点−受像面間距離である。この図より拡大率はＣ／ＡとなりＡとＣの距離を比較するとその差が大きく拡大率は１．１倍より大きくなることがわかる。
【００１２】
図３は、セファロ付き歯科用パノラマＸ線撮影装置でのセファロ撮影時の拡大率の説明図である。また、図４は、セファロ撮影専用機での拡大率の説明図である。セファロ付き歯科用パノラマＸ線撮影装置及びセファロ撮影専用機の拡大率は１．１倍になるようにＡとＣの距離が決められている。よって図３及び図４にあるＡとＣの距離を比較すると、その差が小さいことがわかる。
【００１３】
ＣＴ画像からセファロ画像を作成する画像再構成アルゴリズムの本発明の一実施例を説明する。被検者の位置決め装置３の左右イヤーロッドにセファロ撮影専用機等で使用しているイヤーロッドと同じように、その中心を示すマーカーを埋め込み、この位置決め装置３に被検者を位置決めして顔全体のＣＴ撮影を行う。次に得られたＣＴ画像から左右イヤーロッドのマーカーを自動で認識して、左右のイヤーロッド位置を結ぶ線に垂直な方向のＭＰＲ画像をボクセルサイズのピッチで取得する。そして、この画像を頭部規格撮影の撮影条件である前記拡大率１．１倍になるように拡大する。その後、左右のイヤーロッド位置を基準点にして拡大したＭＰＲ画像からＲａｙＳｕｍ画像を作成し、その画像をセファロ画像として汎用形式で出力する。図５及び図６は、本発明の頭頸部用コーンビームＸ線ＣＴ撮影装置により作成され表示ソフトにより表示された正面セファロ画像及び側面セファロ画像である。
【図面の簡単な説明】
【００１４】
【図１】本発明の頭頸部用コーンビームＸ線ＣＴ撮影装置の一実施例を示す全体図
【図２】本発明の頭頸部用コーンビームＸ線ＣＴ撮影装置でのＸ線ＣＴ撮影時の拡大率の説明図
【図３】セファロ付き歯科用パノラマＸ線撮影装置でのセファロ撮影時の拡大率の説明図
【図４】セファロ撮影専用機での拡大率の説明図
【図５】本発明の頭頸部用コーンビームＸ線ＣＴ撮影装置による正面セファロ画像
【図６】本発明の頭頸部用コーンビームＸ線ＣＴ撮影装置による側面セファロ画像
【符号の説明】
【００１５】
１  Ｘ線発生器
２  受像装置
３  位置決め装置
【図１】
0004808516.tif 000002
【図２】
0004808516.tif 000003
【図３】
0004808516.tif 000004
【図４】
0004808516.tif 000005
【図５】
0004808516.tif 000006
【図６】
0004808516.tif 000007